(57)【要約】  一側面による掃除機は、空気と埃を案内する吸入部：前記吸入部と連結され、前記空気から埃を分離する埃分離部と、前記埃分離部で分離された埃を貯蔵し、少なくとも一部が透明または半透明に形成されるダストボックスを備える本体；前記本体に連結され、バッテリーを備えるハンドル部；前記本体に備えられ、前記バッテリから電源の供給を受けるための電力受給部；前記電源受給部に連結される電線；及び前記本体に結合され、前記本体と電線との間で前記電線が前記ダストボックスの外部に見えることを防止するためのカバー部材を含む。【選択図】  図１
2019524290.tif 000002
【特許請求の範囲】
【請求項１】
掃除機であって、
空気と埃を案内する吸入部；
前記吸入部と連結され、前記空気から埃を分離する埃分離部と、前記埃分離部で分離された埃を貯蔵し、少なくとも一部が透明又は半透明に形成されるダストボックスを備える本体；
前記本体に連結され、バッテリーを備えるハンドル部；
前記本体に備えられ、前記バッテリーから電源の供給を受けるための電源受給部；
前記電源受給部に連結される電線；及び
前記本体に結合され、前記本体と電線との間で前記電線が前記ダストボックスの外部に見えることを防止するためのカバー部材を備えてなる、掃除機。
【請求項２】
前記カバー部材は、前記吸入部の反対側で前記本体に結合され、
前記ハンドル部によってカバーされる、請求項１に記載の掃除機。
【請求項３】
前記カバー部材は、前記本体に第１方向にスライディング結合され、
前記ハンドル部は、前記カバー部材に前記第１方向と反対方向である第２方向にスライディング結合される、請求項２に記載の掃除機。
【請求項４】
前記ハンドル部は、前記カバー部材に結合され、
前記ハンドル部は、ハンドル端子を備え、
前記カバー部材は、前記ハンドル端子と結合するための本体端子を支持し、
前記ハンドル部が前記カバー部材に結合される過程で、前記ハンドル端子が前記本体端子と連結される、請求項１に記載の掃除機。
【請求項５】
前記カバー部材は、前記本体端子を支持するために水平方向に離隔する複数の結合リブを備えてなり、
前記複数の結合リブの間に前記本体端子が配置された状態で、前記本体端子が前記複数の結合リブに結合される、請求項４に記載の掃除機。
【請求項６】
前記複数の結合リブは、前記ハンドル端子が前記本体端子に結合される過程で、前記ハンドル端子の結合をガイドし、前記ハンドル端子が前記本体端子に結合された状態で、前記ハンドル端子の両側をカバーする、請求項５に記載の掃除機。
【請求項７】
前記カバー部材は、前記本体端子の下面を支持する端子支持部を更に備えてなる、請求項４に記載の掃除機。
【請求項８】
前記カバー部材は、前記電線が前記本体の端子に連結されるために前記電線を案内する案内リブを備えてなる、請求項４に記載の掃除機。
【請求項９】
前記ハンドル部は、ハンドルフックを備えてなり、
前記カバー部材は、ハンドルフックが係止されるハンドルフック結合部を備えてなる、請求項４に記載の掃除機。
【請求項１０】
前記ハンドル部が前記カバー部材にスライディング結合され得るように、
前記カバー部材は、挿入開口が形成されるハンドル結合部を備えてなり、
前記ハンドル部は、前記挿入開口に挿入される挿入リブを備えてなる、請求項９に記載の掃除機。
【請求項１１】
前記本体は、前記ダストボックスを形成する第１ボディを備えてなり、
前記カバー部材は、前記第１ボディと接触するカバーボディを備えてなり、
前記第１ボディは、カバー結合フックを備えてなり、
前記カバーボディは、前記カバー結合フックが貫通するスロットと、前記スロットを貫通した前記カバー結合フックが結合されるフック係止部とを備えてなる、請求項１に記載の掃除機。
【請求項１２】
前記第１ボディは、移動防止リブを備えてなり、
前記カバーボディは、前記移動防止リブを収容するための収容部と、前記リブ収容部に位置した前記移動防止リブが前記第１ボディから遠ざかる方向に移動することを制限するための制限リブと、前記リブ収容部に収容された前記移動防止リブを支持するリブ支持面とを備えてなる、請求項１１に記載の掃除機。
【請求項１３】
前記第１ボディは、前記カバー部材と接触するための陥没した接触面を備えてなり、
前記接触面は、ラウンドされた第１接触面と、平面の第２接触面とを備えてなり、
前記第１接触面には、複数の移動防止リブが水平方向に離隔して配置され、互いに遠ざかる方向に延びる、請求項１１に記載の掃除機。
【請求項１４】
前記電線は、前記吸入部に備えられる吸入部端子に連結される、請求項１に記載の掃除機。
【請求項１５】
前記電線は、吸引力を発生させるための吸引モータに連結される、請求項１に記載の掃除機。
【請求項１６】
前記吸引モータは、前記本体内に配置される、請求項１５に記載の掃除機。
【請求項１７】
ＰＣＢユニットを備えるハンドル部；
前記ハンドル部に分離可能に結合され、前記ハンドル部に結合された状態で、前記ＰＣＢユニットに連結されるバッテリー；
前記バッテリーから電源の供給を受けるための電源受給部を備え、前記ハンドル部が結合される本体；
前記ハンドル部に備えられ、前記ＰＣＢユニットと連結されたハンドル端子；及び
前記本体に備えられ、前記ハンドル部が前記本体に結合される過程で、前記ハンドル端子と機構的に結合され、前記電源受給部と電線によって連結された本体端子；を備えてなる、掃除機。
【請求項１８】
前記本体で前記本体端子を支持し、前記電線をカバーするカバー部材を更に備えてなる、請求項１７に記載の掃除機。
【請求項１９】
前記本体で前記本体端子を支持し、前記電線をカバーするカバー部材を更に備えてなる、請求項１７に記載の掃除機。
【発明の詳細な説明】
【技術分野】
【０００１】
本明細書は、掃除機に関する。
【背景技術】
【０００２】
掃除機は、使用者が直接掃除機を移動させながら掃除を行う手動掃除機と、自ら走行しながら掃除を行う自動掃除機とに区分することができる。
【０００３】
また、手動掃除機は、掃除機の形態により、キャニスター型掃除機、アップライト型掃除機、ハンディ型掃除機、スティック型掃除機などに区分することができる。
【０００４】
ハンディ型掃除機は、一般的に吸入部と、本体と、ハンドル部とを含むことができる。
【０００５】
前記吸入部には、吸入ノズルが備えられる延長管が連結され得る。そして、前記ハンドル部には、電源供給のためのバッテリーが備えられ得る。
【０００６】
前記吸入ノズルがカーペット掃除のための清掃部材と、前記清掃部材を回転させるためのモータとを含む場合には、前記モータは、前記ハンドル部に配置された前記バッテリーから電源の供給を受けなければならない。
【０００７】
前記モータが前記ハンドル部に配置されたバッテリーから電源の供給を受けるためには、前記バッテリーは、前記モータに電源供給のための電線と制御信号の送出のための電線によって連結されなければならない。前記電線は、前記本体を通って前記吸入部に連結される。
【０００８】
一方、前記本体は、埃を貯蔵するダストボックスを含むことができ、前記ダストボックスは、内部に貯蔵された埃を使用者が目視で確認できるように、透明または半透明に形成され得る。
【０００９】
しかし、前記電線は、前記本体を通るように配置されるので、前記ダストボックスを介して外部に電線が見えることが防止される必要がある。
【００１０】
一方、先行文献である大韓民国登録特許公報第１０-１１２７０８８号（登録日２０１２．０３．０８．）にはハンドヘルド真空掃除機が開示されている。
【発明の概要】
【発明が解決しようとする課題】
【００１１】
本発明の目的は、透明または半透明なダストボックスを介して電線が外部から見えることが防止される掃除機を提供することにある。
【００１２】
また、本発明の目的は、電線の露出を防止するカバー部材に本体とハンドル部の電気的連結のための端子が安着される掃除機を提供することにある。
【００１３】
また、本発明の目的は、カバー部材によって本体端子とハンドル部に備えられるハンドル端子の連結が容易になる掃除機を提供することにある。
【００１４】
また、本発明の目的は、ハンドル端子が本体端子と結合する過程で本体端子の弛みが防止される掃除機を提供することにある。
【課題を解決するための手段】
【００１５】
一側面による掃除機は、空気と埃を案内する吸入部：前記吸入部と連結され、前記空気中の埃を貯蔵する埃分離部と、前記埃分離部で分離された埃を貯蔵し、少なくとも一部が透明または半透明に形成されるダストボックスを備える本体；前記本体に連結され、バッテリーを備えるハンドル部；前記本体に備えられ、前記バッテリから電源の供給を受けるための電源受給部；前記電源受給部に連結される電線；および前記本体に結合され、前記本体と電線との間で前記電線が前記ダストボックスの外部に見えることを防止するためのカバー部材を含む。
【００１６】
他の側面による掃除機は、ＰＣＢユニットを備えるハンドル部；前記ハンドル部に分離可能に結合され、前記ハンドル部に結合された状態で、前記ＰＣＢユニットに連結されるバッテリー；前記バッテリーから電源の供給を受けるための電源受給部を備え、前記ハンドル部が結合される本体；前記ハンドル部に備えられ、前記ＰＣＢユニットと連結されたハンドル端子；前記本体に備えられ、前記ハンドル部が前記本体に結合される過程で、前記ハンドル端子と機構的に結合され、前記電源受給部と電線によって連結された本体端子を含む。
【発明の効果】
【００１７】
提案される発明によると、透明または半透明のダストボックスにカバー部材が設けられ、カバー部材によって電線が本体端子に案内されるので、カバー部材が電線を遮ってダストボックスの外部から電線が見えることが防止され得る。
【００１８】
また、カバー部材に本体端子が支持されるので、前記ダストボックスの外部から本体端子が見えることが防止され得る。
【００１９】
また、ハンドル部には、本体と連結されるハンドル端子が備えられ、ハンドル部は、スライディング方式によってカバー部材に結合される。したがって、前記ハンドル部がカバー部材に結合される過程で、本体端子とバッテリー端子が結合され得るという長所がある。
【００２０】
また、本体端子が複数の結合リブに結合された状態が維持されるので、ハンドル端子が本体端子に結合される過程で、本体端子の弛み現象が防止され、これに従って、前記ハンドル端子と本体端子の誤組立が防止され得る。
【００２１】
また、本体端子が端子支持部によって支持されるので、ハンドル端子が本体端子に結合される過程で、本体端子の弛み現象が防止され、これに従って、前記ハンドル端子と本体端子の誤組立が防止され得る。
【図面の簡単な説明】
【００２２】
【図１】本発明の一実施例に係る掃除機の斜視図。
【図２】本発明の一実施例に係る掃除機の側面図。
【図３】本発明の一実施例に係る掃除機の平面図。
【図４】本発明の一実施例に係る掃除機を下側から見た斜視図。
【図５】本発明の一実施例に係る掃除機の断面図。
【図６】本発明の一実施例に係る掃除機の分解斜視図。
【図７】本発明の一実施例に係る本体からカバー部材が分離された状態を示す図面。
【図８】本発明の一実施例に係る第１ボディの斜視図。
【図９】本発明の一実施例に係るカバー部材の斜視図。
【図１０】本発明の一実施例に係るカバー部材の斜視図。
【図１１】本発明の一実施例に係るカバー部材が本体に結合された状態を示す横断面図。
【図１２】本発明の一実施例に係るカバー部材が本体に結合される前の状態を示す縦断面図。
【図１３】カバー部材が本体に結合された状態を示す縦断面図。
【図１４】本発明の一実施例に係るハンドル部の斜視図。
【図１５】図１４のハンドル部がカバー部材に結合された状態を示す横断面図。
【図１６】ハンドル部がカバー部材に結合される前の状態を示す縦断面図。
【図１７】ハンドル部がカバー部材に結合された状態を示す縦断面図。
【図１８】ハンドル部が本体に結合される様子を示す図面。
【図１９】カバー部材が本体に結合された状態を示す斜視図。
【図２０】カバー部材が結合された本体にインナーハウジングが結合された状態を示す斜視図。
【図２１】本体にインナーハウジングが結合された状態を示す断面図。
【図２２】本発明の掃除機の結合構造を概略的に示す概念図。
【発明を実施するための形態】
【００２３】
以下、本発明の一部の実施例を例示的な図面を通じて詳細に説明する。各図面の構成要素に参照符号を付けることにおいて、同一の構成要素に対しては、たとえ他の図面上に示されてもできるだけ同じ符号を有するようにしていることに留意しなければならない。また、本発明の実施例を説明することにおいて、関連した公知の構成または機能に対する具体的な説明が本発明の実施例に対する理解を妨害すると判断される場合にはその詳細な説明は省略する。
【００２４】
また、本発明の構成要素を説明することにおいて、第１、第２、Ａ、Ｂ、（ａ）、（ｂ）等の用語を使用し得る。このような用語は単にその構成要素を他の構成要素と区別するためのものであり、その用語によって該当構成要素の本質や順序または手順などが限定されることはない。ある構成要素が他の構成要素に「連結」、「結合」または「接続」されると記載された場合、その構成要素はその他の構成要素に直接的に連結されるかまたは接続され得るが、各構成要素の間にまた他の構成要素が「連結」、「結合」または「接続」され得ると理解されるべきである。
【００２５】
図１は、本発明の一実施例に係る掃除機の斜視図であり、図２は、本発明の一実施例に係る掃除機の側面図であり、図３は、本発明の一実施例に係る掃除機の平面図であり、図４は、本発明の一実施例に係る掃除機を下側から見た斜視図であり、図５は本発明の一実施例に係る掃除機の断面図である。
【００２６】
図１乃至図５を参照すると、本発明の一実施例に係る掃除機１は、本体２を含むことができる。
【００２７】
前記掃除機１は、前記本体２の前面に結合される吸入部５をさらに含むことができる。前記吸入部５は、埃を含む空気を前記本体２に案内することができる。
【００２８】
前記掃除機１は、前記本体２に結合されるハンドル部３をさらに含むことができる。前記ハンドル部３は、前記本体２で前記吸入部５の反対側に位置し得る。
【００２９】
すなわち、前記吸入部５と前記ハンドル部３との間に前記本体２が配置され得る。
【００３０】
前記本体２は、第１ボディ１０と、前記第１ボディ１０の上側に位置する第２ボディ１２とを含むことができる。
【００３１】
前記第１ボディ１０と前記第２ボディ１２は、制限的ではないが、円筒形状に形成され得る。
【００３２】
そして、前記吸入部５の中央部が概略的に前記第１ボディ１０と前記第２ボディ１２との境界部に位置するように前記吸入部５が前記本体２に結合され得る。
【００３３】
前記本体２は、前記吸入部５を介して吸入された空気から埃を分離する埃分離部をさらに含むことができる。
【００３４】
前記埃分離部は、一例としてサイクロン流動によって埃を分離できる第１サイクロン部１１０を含むことができる。このとき、前記第１ボディ１０が前記第１サイクロン部１１０を含む。
【００３５】
前記吸入部５を介して吸入される空気と埃は、前記第１サイクロン部１１０の内周面に沿って螺旋流動するようになる。
【００３６】
前記第１サイクロン部１１０のサイクロン流動の軸は、上下方向に延びることができる。
【００３７】
前記埃分離部は、前記第１サイクロン部１１０から排出された空気から埃を再度分離する第２サイクロン部１３０をさらに含むことができる。このとき、前記埃分離部の大きさが最小化されるように、前記第２サイクロン部１３０は、前記第１サイクロン部１１０の内部に位置し得る。前記第２サイクロン部１３０は、並列に配置される複数のサイクロンボディを含むことができる。
【００３８】
他の例として、前記埃分離部が単一のサイクロン部を有してもよく、この場合にも前記サイクロン流動の軸は、上下方向に延びることができる。
【００３９】
前記第１ボディ１０は、前記各サイクロン部１１０、１３０で分離された埃を貯蔵するダストボックスの役割をする。すなわち、前記第１ボディ１０は、第１サイクロン部１１０とダストボックスとを含む。このとき、前記ダストボックスに貯蔵された埃の量を使用者が目視で確認できるように、前記第１ボディ１０の一部または全部は透明または半透明であり得る。
【００４０】
前記本体２は、前記第１ボディ１０の下側を開閉するボディカバー１６をさらに含むことができる。前記ボディカバー１６は、回転動作によって前記第１ボディ１０を開閉することができる。前記第１ボディ１０には、前記ボディカバー１６の回転のために操作するボタン１８が備えられ得る。
【００４１】
前記ボディカバー１６のヒンジ１６２は、バッテリーハウジング６０に備えられたヒンジ結合部６２０に結合され得る。
【００４２】
前記第２サイクロン部１３０の少なくとも一部は、前記第１ボディ１０内に位置し得る。
【００４３】
前記第１ボディ１０内には、前記第２サイクロン部１３０で分離された埃の貯蔵をガイドする埃貯蔵ガイド１２４が配置され得る。前記埃貯蔵ガイド１２４は、前記第２サイクロン部１３０の下側に結合されて前記ボディカバー１６の上面に接触し得る。
【００４４】
前記埃貯蔵ガイド１２４は、前記第１ボディ１０の内部空間を前記第１サイクロン部１１０で分離された埃が貯蔵される第１埃貯蔵部１２１と、前記第２サイクロン部１３０で分離された埃が貯蔵される第２埃貯蔵部１２３とに区画することができる。
【００４５】
前記埃貯蔵ガイド１２４の内部空間が前記第２埃貯蔵部１２３であり、前記埃貯蔵ガイド１２４と前記第１ボディ１０との間の空間が第１埃貯蔵部１２１である。
【００４６】
前記ボディカバー１６は、前記第１埃貯蔵部１２１と前記第２埃貯蔵部１２３とを共に開閉することができる。
【００４７】
前記掃除機１は、吸入力を発生させるための吸入モータ２０と、前記吸入モータ２０に電源を供給するためのバッテリー４０とをさらに含むことができる。
【００４８】
前記吸入モータ２０は、前記第２ボディ１２内に位置し得る。そして、前記吸入モータ２０の少なくとも一部は、前記埃分離部の上側に位置し得る。したがって、前記吸入モータ２０は、前記第１ボディ１０の上方に位置する。
【００４９】
前記吸入モータ２０は、前記第２サイクロン部１３０の空気出口と連通することができる。
【００５０】
このために、前記本体２は、前記第２サイクロン部１３０と連結される排出ガイド２８と、前記排出ガイド２８と連通する流動ガイド２２とをさらに含むことができる。
【００５１】
一例として、前記排出ガイド２８は、前記第２サイクロン部１３０の上側に位置し、前記流動ガイド２２は、前記排出ガイド２８の上側に位置する。
【００５２】
そして、前記吸入モータ２０の少なくとも一部は、前記流動ガイド２２の内部に位置する。
【００５３】
したがって、前記埃分離部のサイクロン流動の軸は、前記吸入モータ２０を貫通することができる。
【００５４】
前記吸入モータ２０が前記第２サイクロン部１３０の上側に位置すると、前記第２サイクロン部１３０から排出された空気が直ちに前記吸入モータ２０側に流動できて、前記埃分離部と前記吸入モータ２０との間の流路が最小化され得る。
【００５５】
前記吸入モータ２０は、回転動作するインペラ２００を含むことができる。前記インペラ２００は、シャフト２０２に連結され得る。前記シャフト２０２は、上下方向に延びるように配置される。
【００５６】
前記シャフト２０２の延長線（インペラ２００の回転軸ともいうことができる）は、前記第１ボディ１０を通過することができる。このとき、前記インペラ２００の回転軸と前記埃分離部の第１サイクロン部１１０で発生するサイクロン流動の軸は、同一線上に位置し得る。
【００５７】
本発明によると、前記埃分離部から排出された空気、すなわち、第２サイクロン部１３０から上方に排出された空気が前記吸入モータ２０側に流動する経路が減り、空気の方向変化が減ることができて空気の流動損失が減るという長所がある。
【００５８】
空気の流動損失が減る場合、吸入力が増加でき、前記吸入モータ２０に電源を供給するためのバッテリー４０の使用時間が増加できる。
【００５９】
前記掃除機１は、前記吸入モータ２０の上側の一部をカバーする上部モータハウジング２６と前記吸入モータ２０の下側の一部をカバーする下部モータハウジング２７とをさらに含むことができる。前記下部モータハウジング２７は、前記第２ボディ１２と一体に形成されたり前記第２ボディ１２に結合され得る。
【００６０】
前記吸入モータ２０は、前記各モータハウジング２６、２７の内部に収容され、前記流動ガイド２２は、前記上部モータハウジング２６を囲むように配置され得る。
【００６１】
前記流動ガイド２２の少なくとも一部は、前記上部モータハウジング２６から離隔し得る。また、前記流動ガイド２２の少なくとも一部は、前記第２ボディ１２から離隔し得る。
【００６２】
したがって、前記流動ガイド２２の内周面と前記上部モータハウジング２６の外周面は、第１空気流路２３２を形成し、前記流動ガイド２２の外周面と前記第２ボディ１２の内周面は、第２空気流路２３４を形成する。
【００６３】
前記第２サイクロン部１３０から排出された空気は、前記第１空気流路２３２に沿って前記吸入モータ２０に流動し、前記吸入モータ２０から排出された空気は、前記第２空気流路２３４に沿って流動した後に外部に排出される。したがって、前記第２空気流路２３４は、排気流路の役割をする。
【００６４】
前記ハンドル部３は、使用者の把持のためのハンドル３０と、前記ハンドル３０の下側に配置されるバッテリーハウジング６０とを含むことができる。
【００６５】
前記ハンドル３０は、前記吸入モータ２０の後方に位置し得る。
【００６６】
方向に対して定義すると、前記掃除機１において前記吸入モータ２０を基準に、前記吸入部５が位置する方向が前方であり、前記ハンドル３０が位置する方向が後方である。
【００６７】
前記バッテリー４０は、前記第１ボディ１０の後方に位置し得る。したがって、前記吸入モータ２０と前記バッテリー４０は、上下方向に重ならないように配置され、配置高さもまた異なるように配置され得る。
【００６８】
このような本発明によると、前記ハンドル３０を基準に、重さが重い吸入モータ２０が前記ハンドル３０の前方に位置し、重さが重いバッテリー４０が前記ハンドル３０の下方に位置するので、前記掃除機１は全体的に重さが等しく分配される。使用者が前記ハンドル３０を把持して掃除をするとき、使用者の手首に負担がかかることが防止され得る。すなわち、掃除機１の前面と後方に重さが重い構成が分散されて配置されるが、互いに異なる高さに配置されるので、掃除機１の重心がある一側に偏ることが防止され得る。
【００６９】
前記バッテリー４０が前記ハンドル３０の下方に位置し、前記吸入モータ２０は前記ハンドル３０の前方に位置するので、前記ハンドル３０の上方には何の構成が存在しなくなる。すなわち、前記ハンドル３０の上面は、前記掃除機１の上面の一部の外観を形成する。
【００７０】
したがって、前記ハンドル３０を把持して使用する過程で、掃除機１の一構成が使用者の腕に接触することが防止され得る。
【００７１】
前記ハンドル３０は、上下方向に延びて使用者が把持できる第１延長部３１０と、前記第１延長部３１０の上側から前記吸入モータ２０に向かって延びる第２延長部３２０とを含むことができる。前記第２延長部３２０は、少なくとも一部が水平方向に延びることができる。
【００７２】
前記第１延長部３１０には、使用者が前記第１延長部３１０を把持した状態で、手が前記第１延長部３１０の長手方向（図２には上下方向）に移動することを防止するための移動制限部３１２が備えられ得る。前記移動制限部３１２は、前記第１延長部３１０から前記吸入部５に向かって延びることができる。
【００７３】
前記移動制限部３１２は、前記第２延長部３２０から離隔して配置される。したがって、前記第１延長部３１０を把持した状態で、一部の指は、前記移動制限部３１２の上方に位置し、残りの指は、前記移動制限部３１２の下方に位置する。
【００７４】
一例として、人差し指と中指との間に前記移動制限部３１２が位置し得る。
【００７５】
このような配置によると、使用者が前記第１延長部３１０を把持した状態で、前記吸入部５の長手方向軸Ａ１が使用者の手首を通ることができる。
【００７６】
前記吸入部５の長手方向の軸Ａ１が使用者の手首を通る場合、使用者の腕が伸ばされた状態で、前記吸入部５の長手方向の軸Ａ１は、使用者の腕の延長方向と実質的に平行であり得る。したがって、このような状態では、使用者が前記ハンドル３０を把持して掃除機１を押したり引くとき必要な使用者の力が最小化されるという長所がある。
【００７７】
前記ハンドル３０は、操作部３２６を含むことができる。一例として、前記操作部３２６は、前記第２延長部３２０に形成される傾斜面に位置し得る。前記操作部３２６を介して掃除機（吸入モータ）のオン命令およびオフ命令を入力することができる。一例として、前記操作部３２６を用いて前記吸入モータ２０のオン命令およびオフ命令を入力することができる。また、前記操作部３２６を介して、前記吸入モータ２０がオンされた状態で吸入モータ２０の吸入力の強さを調節することができる。
【００７８】
前記操作部３２６は、使用者に向かうように配置され得る。前記ハンドル３０を基準に、前記操作部３２６は、前記移動制限部３１２の反対側に位置し得る。
【００７９】
前記操作部３２６は、前記移動制限部３１２より高く位置する。したがって、使用者が前記第１延長部３１０を把持した状態で、親指で容易に前記操作部３２６を操作することができる。
【００８０】
また、前記第１延長部３１０から外れた位置に前記操作部３２６が位置するので、前記第１延長部３１０を把持した状態で掃除を行うとき、意図せずに前記操作部３２６が操作されることが防止され得る。
【００８１】
前記バッテリーハウジング６０は、前記第１延長部３１０の下側に位置し得る。
【００８２】
前記バッテリー４０は、前記バッテリーハウジング６０に分離可能に結合され得る。一例として、前記バッテリー４０は、前記バッテリーハウジング６０の下方から前記バッテリーハウジング６０の内部に挿入され得る。
【００８３】
前記バッテリーハウジング６０の後面と前記第１延長部３１０の後面は、連続的な面を形成することができる。したがって、前記バッテリーハウジング６０と前記第１延長部３１０が一体感を有し得る。
【００８４】
前記バッテリー４０が前記バッテリーハウジング６０に収容された状態で、前記バッテリー４０の下面が外部に露出し得る。したがって、前記掃除機１を床に置くとき前記バッテリー４０が床に置かれ得る。
【００８５】
このような構造によると、前記バッテリー４０を前記バッテリーハウジング６０から直ちに分離できるという長所がある。
【００８６】
また、前記バッテリー４０の下面が外部に露出するので、前記バッテリー４０の下面が掃除機１の外部の空気と直接接触できて前記バッテリー４０の冷却性能が向上し得る。
【００８７】
前記バッテリーハウジング６０は、アウターハウジング６００とインナーハウジング６１０とを含むことができる。前記インナーハウジング６１０は、前記アウターハウジング６００の下側に挿入され得る。
【００８８】
前記インナーハウジング６１０は、前記アウターハウジング６００および前記第１ボディ１０のうち一つ以上に固定され得る。そして、前記バッテリー４０は、前記インナーハウジング６１０に結合され得る。
【００８９】
本発明によると、前記インナーハウジング６１０が前記アウターハウジング６００に挿入された状態で、前記バッテリー４０を収容して前記バッテリー４０と結合するので、前記アウターハウジング６００が変形されたり前記バッテリー４０の装着および分離過程で、アウターハウジング６００が損傷することが防止され得る。もちろん、前記インナーハウジング６１０を別に形成せず、前記インナーハウジング６１０を前記アウターハウジング６００と一体に形成することも可能である。
【００９０】
前記インナーハウジング６１０は、前記ボディカバー１６のヒンジ１６２が結合される一対のヒンジ結合部６２０を含むことができる。前記一対のヒンジ結合部６２０は、一定間隔離隔して配置され得る。
【００９１】
前記インナーハウジング６１０は、前記バッテリー４０が前記インナーハウジング６１０に装着された状態で、前記バッテリー４０を充電させるための充電台連結端子６２８をさらに含むことができる。前記掃除機１を示されていない充電台に安着させると、前記充電台の端子が前記充電台連結端子６２８と接触し得る。
【００９２】
前記バッテリーハウジング６００には、前記バッテリーハウジング６０に収容されたバッテリー４０内に備えられるバッテリー端子４９０と結合するためのバッテリー連結端子６７０が備えられ得る。前記バッテリー連結端子６７０は、前記バッテリー４０の上側を貫通して前記バッテリー端子４９０に結合され得る。
【００９３】
一方、図３を参照すると、前記掃除機１は、前記吸入モータ２０を通った空気が排出される空気排出口５２２を有するフィルタ機構５０をさらに含むことができる。前記空気排出口５２２は、一例として複数の開口を含み、複数の開口は、円周方向に配列され得る。
【００９４】
前記フィルタ機構５０は、前記本体２の上側に分離可能に結合され得る。前記フィルタ機構５０は、前記第２ボディ１２に分離可能に収容され得る。
【００９５】
前記フィルタ機構５０が前記本体２に結合された状態で、前記フィルタ機構２の一部は、前記第２ボディ１２の外側に位置する。したがって、前記フィルタ機構５０の一部は、前記本体２の上側開口を介して前記本体２内部に引き入れられ、他の一部は、前記本体２の外部に突出する。
【００９６】
前記本体２の高さは、前記ハンドル３０の高さと実質的に同一であり得る。したがって、前記フィルタ機構５０は、前記本体２の上方に突出して使用者が前記フィルタ機構５０を把持した状態で、前記フィルタ機構５０を容易に分離することができる。
【００９７】
前記フィルタ機構５０が前記本体２に結合された状態で、前記フィルタ機構５０の上側に前記空気排出口５２２が位置する。したがって、前記吸入モータ２０から排出された空気は、前記本体２の上方に排出される。
【００９８】
本実施例によると、掃除機１を用いて掃除する過程で、空気排出口５２２から排出された空気が使用者側に流動することが防止され得る。
【００９９】
前記本体２は、前記吸入モータ２０に流入する空気をフィルタリングするためのプレフィルタ２９をさらに含むことができる。前記プレフィルタ２９は、前記流動ガイド２２内に位置し得る。また、前記プレフィルタ２９は、前記上部モータハウジング２６に安着されて前記上部モータハウジング２６の一部を囲むことができる。すなわち、前記上部モータハウジング２６は、前記プレフィルタ２９を支持するためのフィルタ支持部を含むことができる。
【０１００】
図６は、本発明の一実施例に係る掃除機からハンドル部が分離された状態を示す図であり、図７は、本発明の一実施例に係る本体からカバー部材が分離された状態を示す図であり、図８は、本発明の一実施例に係る第１ボディの斜視図である。
【０１０１】
図６乃至図８を参照すると、前記第１ボディ１０と前記第２ボディ１２は、上下方向に互いに結合され得る。
【０１０２】
このために、前記第１ボディ１０には第１結合部１０５が備えられ、前記第２ボディ１２には第２結合部１２２が備えられ得る。
【０１０３】
前記第１結合部１０５は、前記第１ボディ１０の外周面から突出する突出部であり得る。前記第２結合部１２２は、前記第２ボディ１２の下側から下方に延びることができる。前記第２結合部１２２は、前記突出部に係止されるためのフックであり得る。
【０１０４】
前記第２ボディ１２の下方に延びた第２結合部１２２が前記第１結合部１０５に係止されるために、前記第１結合部１０５は、前記第１ボディ１０の上段から下方に一定距離離隔して配置され得る。
【０１０５】
前記第１ボディ１０には、カバー部材７０が結合され得る。前記カバー部材７０は、制御信号伝達および／または電源供給のための複数の本体電線１２６、１２７が前記第１ボディ１０の外部（または、ダストボックス１２０の外部）から見えることを防止することができる。
【０１０６】
前記本体端子８０には、複数の本体電線１２６、１２７が連結され得る。前記複数の本体電線１２６、１２７は、前記吸入部５に備えられる吸入部端子（図示せず）と連結される二つの第１本体電線１２６と、前記吸入モータ２０と連結される二つの第２本体電線１２７とを含むことができる。
【０１０７】
前記吸入部５には、回転清掃部材とモータを備える吸入ノズルと連結された延長管が連結され得、前記延長管が前記吸入部５に連結されると、前記モータは、前記吸入部端子と電気的に連結されて前記バッテリー４０から電源の供給を受けることができる。または、回転清掃部材とモータを備える吸入ノズルが直接前記吸入部５に連結され得、この場合にも前記吸入ノズルのモータが前記バッテリー４０から電源の供給を受けることができる。
【０１０８】
前記複数の本体電線１２６、１２７の一部は、前記第２ボディ１２の内部に引き入れられ得る。前記複数の本体電線１２６、１２７の他の一部は、前記第２ボディ１２から下方に延びて前記カバー部材７０によってガイドされた後に前記本体端子８０に連結され得る。
【０１０９】
前記カバー部材７０は、前記本体電線１２６、１２７と連結される本体端子８０を支持することができる。したがって、前記カバー部材７０は、前記本体端子８０が前記第１ボディ１０の外部（または、ダストボックス１２０の外部）から見えることを防止することができる。
【０１１０】
前記カバー部材７０は、制限的ではないが、前記第１ボディ１０で前記吸入部５の反対側に結合され得る。前記カバー部材７０が前記第１ボディ１０で前記吸入部５の反対側に位置する場合、前記ハンドル部３によってカバーできて前記カバー部材７０の外部露出が防止され得る。
【０１１１】
前記第１ボディ１０は、前記カバー部材７０が安着されるために前記第１ボディ１０の外面が内側に陥没した接触面を含むことができる。
【０１１２】
前記接触面は、ラウンドされた第１接触面１０１と、前記第１接触面１０１の両側に位置する平面の第２接触面１０２とを含むことができる。
【０１１３】
前記第１ボディ１０は、前記カバー部材７０が結合されるためのカバー結合フック１０４をさらに含むことができる。
【０１１４】
前記第１ボディ１０は、前記第２ボディ１２と結合するための第１結合部１０５をさらに含むことができる。
【０１１５】
前記カバー結合フック１０４は、前記第１結合部１０５の下側で前記第１結合部１０５から離隔して位置し得る。前記第１結合部１０５に結合された第２結合部１１２と前記カバー結合フック１０４が干渉されることが防止されるように、前記カバー結合フック１０４は、前記第１結合部１０５の下側に位置した状態で下方に延びることができる。
【０１１６】
前記第１接触面１０１の両側に平面の第２接触面１０２が配置されることによって、前記第１ボディ１０に前記カバー部材７０が結合された状態で、前記第１ボディ１０の外周面に沿って前記カバー部材７０が水平方向に回転することが防止され得る。
【０１１７】
前記第１ボディ１０には、前記カバー部材７０が結合された状態が安定的に維持されるようにするための一つ以上の移動防止リブ１０３が備えられ得る。
【０１１８】
一例として、前記カバー部材７０の上下および左右移動が防止されるように、前記第１ボディ１０には、複数の移動防止リブ１０３が備えられ得る。
【０１１９】
前記複数の移動防止リブ１０３は、前記第１ボディ１０の第１接触面１０１から突出でき、水平方向および上下方向に離隔して配置され得る。
【０１２０】
一例として、水平方向に離隔した二つの移動防止リブ１０３は、互いに遠ざかる方向に延びることができる。
【０１２１】
前記複数の移動防止リブ１０３の少なくとも一部の移動防止リブ１０３の端部１０３ａは、前記第２接触面１０２から離隔した状態で前記第２接触面１０２と対向するように配置され得る。すなわち、前記移動防止リブ１０３の端部１０３ａと前記第２接触面１０２との間には空間が形成され得る。
【０１２２】
前記第１ボディ１０は、前記インナーハウジング６１０と締結されるためのハウジング締結部１０８をさらに含むことができる。前記ハウジング締結部１０８には、スクリューのような締結部材が締結され得る。
【０１２３】
前記ハウジング締結部１０８に前記締結部材が締結されるように、前記ハウジング締結部１０８の一部は、前記第１ボディ１０から外部に突出することができ、他の一部は、前記第１ボディ１０から内部に突出することができる。一例として、前記第１接触面１０１から前記ハウジング締結部１０８が外部および内部に突出することができる。
【０１２４】
前記締結部材が上下方向に前記ハウジング締結部１０８に締結されるように、前記ハウジング締結部１０８は、上下方向に延びることができる。
【０１２５】
前記ハウジング締結部１０８は、前記第１ボディ１０の下段から上方に離隔した位置に配置され得る。
【０１２６】
したがって、前記ハウジング締結部１０８に締結部材が締結され得るように、前記第１ボディ１０は、締結部材の移動のための空間を提供する陥没空間１０６と、前記陥没空間１０６で前記締結部材を案内する案内溝１０７とをさらに含むことができる。
【０１２７】
図９及び図１０は、本発明の一実施例に係るカバー部材の斜視図である。
【０１２８】
図６乃至図１０を参照すると、前記カバー部材７０は、前記第１ボディ１０の外面に接触するカバーボディ７１０を含むことができる。
【０１２９】
前記カバーボディ７１０は、前記第１接触面１０１に接触する第１カバーボディ７１１と、前記第１カバーボディ７１１の両側に位置して前記第２接触面１０２に接触する第２カバーボディ７１２とを含むことができる。
【０１３０】
前記第１カバーボディ７１１が前記第１接触面１０１に接触するために、前記第１カバーボディ７１１はラウンド面を含むことができる。
【０１３１】
前記第２カバーボディ７１２が前記第２接触面１０２に接触するために、前記第２カバーボディ７１２は平面を含むことができる。
【０１３２】
前記カバーボディ７１０は、前記第２ボディ１２の第２結合部１２２が位置するための収容空間７１３をさらに含むことができる。前記収容空間７１３は、前記カバーボディ７１０の上側の中央部に形成される。
【０１３３】
前記カバーボディ７１０は、前記カバー結合フック１０４が貫通するためのスロット７１４と、前記スロット７１４を貫通した前記カバー結合フック１０４が係止されるためのフック係止部７１５とをさらに含むことができる。
【０１３４】
前記スロット７１４は、前記収容空間７１３の下側に位置する。したがって、本発明によると、前記カバー結合フック１０４は、前記収容空間７１３を通って前記スロット７１４を貫通して前記フック係止部７１５に係止され得る。そして、前記第２ボディ１２の第２結合部１３２は、前記カバーボディ７１０に干渉されずに前記収容空間７１３に位置し得る。
【０１３５】
前記収容空間７１３は、前記カバーボディ７１０の両段部から離隔した位置に配置される空間であるので、前記第２ボディ１２の第２結合部１２２が前記収容空間７１３に位置すると、前記第２結合部１２２によって前記カバーボディ７１０の水平方向移動が防止され得る。
【０１３６】
前記カバーボディ７１０は、前記第１ボディ１０の移動防止リブ１０３が収容されるためのリブ収容空間７１８と、前記リブ収容空間７１８に位置した移動防止リブ１０３が前記第１ボディ１０から半径方向に遠ざかる方向に移動することを制限するための制限リブ７１９と、前記リブ収容空間７１８に収容された前記移動防止リブ１０３を支持するリブ支持面７２０とをさらに含むことができる。
【０１３７】
前記制限リブ７１９は、前記リブ収容空間７１８の入口７１８ａの下側に位置し得る。
【０１３８】
前記カバーボディ７１０は、前記ハンドル部３と結合するための第２ハンドル結合部７２１をさらに含むことができる。
【０１３９】
前記第２ハンドル結合部７２１は、前記カバーボディ７１０から水平方向に延びる第１延長部７２２と、前記第１延長部７２２から上方に延びる第２延長部７２３とを含むことができる。
【０１４０】
前記第２延長部７２３の少なくとも一部は、前記カバーボディ７１０の第１面と対向するように配置され得る。
【０１４１】
本発明において、前記カバーボディ７１０で前記第１ボディ１０と接触する面を第２面といい、前記第２面の反対面を第１面ということができる。
【０１４２】
したがって、前記第２延長部７２３と前記カバーボディ７１０の第１面との間には、挿入開口７２４が形成される。
【０１４３】
前記挿入開口７２４には、後述する前記ハンドル部３の挿入リブ（図１４の３０４）が挿入され得る。
【０１４４】
前記カバーボディ７１０は、本体端子８０が結合されるための端子結合部７１６を含むことができる。前記端子結合部７１６は、水平方向に離隔する複数の結合リブ７１６ａを含むことができ、前記各結合リブ７１６ａには、前記本体端子８０が結合されるための結合孔７１６ｂが形成され得る。
【０１４５】
したがって、前記本体端子８０は、前記複数の結合リブ７１６ａの間に位置した状態で前記結合孔７１６ｂに結合され得る。
【０１４６】
前記本体端子８０が前記結合孔７１６ｂに結合されると、前記ハンドル部３のハンドル端子９０が前記本体端子８０に結合される過程で、前記本体端子８０が下側に弛むことが防止され得る。
【０１４７】
このとき、前記複数の結合リブ７１６ａの上下の長さは、前記本体端子８０の上下長さより長く形成され得る。これは後述する前記ハンドル端子（図１４の９０参照）が前記本体端子８０に結合される過程で、前記複数の結合リブ７１６が前記ハンドル端子（図１４の９０参照）と前記本体端子８０の結合をガイドするためである。
【０１４８】
前記カバーボディ７１０は、前記本体端子８０を支持するための端子支持部７１６ｃをさらに含むことができる。前記端子支持部７１６ｃは、一例として前記複数の結合リブ７１６ａの下側を連結することができる。
【０１４９】
前記本体端子８０が前記端子支持部７１６ｃに支持された状態で、前記ハンドル部３のハンドル端子９０が前記本体端子８０に結合される過程で、前記本体端子８０が下側に弛むことが防止され得る。
【０１５０】
前記端子結合部７１６は、前記カバーボディ７１０の第１面に備えられ得る。
【０１５１】
前記カバーボディ７１０は、前記複数の本体電線１２６、１２７を案内するための一つ以上の案内リブをさらに含むことができる。
【０１５２】
前記一つ以上の案内リブは、上部案内リブ７２８と、下部案内リブ７２８ａとを含むことができる。
【０１５３】
前記複数の本体電線１２６、１２７は、前記案内リブ７２８、７２８ａによって位置がガイドされ、前記本体端子８０の下側で前記本体端子８０に連結され得る。
【０１５４】
本発明によると、前記カバーボディ７１０の第１面に前記端子結合部７１６が備えられ、前記本体端子８０が前記端子結合部７１６に結合されることによって、前記複数の本体電線１２６、１２７が前記本体端子８０の下面に連結された状態で、前記複数の本体電線１２６、１２７および前記本体端子８０と前記第１ボディ１０との間に前記カバーボディ７１０が位置する。
【０１５５】
したがって、前記第１ボディ１０が透明または半透明に形成されても、前記第１ボディ１０の外部から前記複数の本体電線１２６、１２７および前記本体端子８０が見えることが防止され得る。
【０１５６】
前記カバーボディ７１０は、前記第１ボディ１０のハウジング締結部１０８との干渉を防止するために前記ハウジング締結部１０８が位置する締結部収容溝７２６をさらに含むことができる。
【０１５７】
また、前記カバーボディ７１０は、前記ハンドル部３のハンドルフック（図１４の３０６参照）が結合されるためのハンドルフック結合部７１７をさらに含むことができる。
【０１５８】
図１１は、本発明の一実施例に係るカバー部材が本体に結合された状態を示す横断面図であり、図１２は、本発明の一実施例に係るカバー部材が本体に結合される前の状態を示す縦断面図であり、図１３は、カバー部材が本体に結合された状態を示す縦断面図である。
【０１５９】
図９乃至図１３を参照すると、前記カバー部材７０を前記第１ボディ１０に結合させるために、前記第１ボディ１０の移動防止リブ１０３を前記カバーボディ７１０のリブ収容空間７１８の入口７１８ａと整列させる。
【０１６０】
この場合、前記第２ボディ１２の第２結合部１２２の一部が前記カバーボディ７１０の収容空間７１３に位置する。
【０１６１】
この状態で、前記カバーボディ７１０を前記第１ボディ１０と接触させる。すなわち、前記第１カバーボディ７１１が前記第１ボディ１０の第１接触面１０１と接触し、前記第２カバーボディ７１２が前記第２ボディ１２の第２接触面１０２と接触する。そして、前記第１ボディ１０の移動防止リブ１０３は、前記リブ収容空間７１８内に収容される。
【０１６２】
この状態で図１３のように、前記カバー部材７０を上方に移動させる。すると、前記第１ボディ１０の移動防止リブ１０３が前記リブ支持面７２０に安着され、前記カバー結合フック１０４が前記カバーボディ７１０のスロット７１４を貫通して前記フック係止部７１５に係止される。
【０１６３】
前記カバー結合フック１０４が前記フック係止部７１５に係止された状態では、前記カバー部材７０が下方に移動することが防止され得る。
【０１６４】
また、前記第１ボディ１０の移動防止リブ１０３が前記リブ支持面７２０に安着された状態で、前記カバー部材７０は、前記移動防止リブ１０３によって上方に移動することが防止される。
【０１６５】
また、前記制限リブ７１９は、前記第１ボディ１０の第２接触面１０２と前記移動防止リブ１０３との間に位置するので、前記カバー部材７０が前記第１ボディ１０の半径方向の外側に移動することが防止され得る。
【０１６６】
図１４は、本発明の一実施例に係るハンドル部の斜視図である。
【０１６７】
図１４を参照すると、前記ハンドル部３は、前記本体２の外面に接触し、前記本体２の外面を囲むハンドルボディ３００を含むことができる。
【０１６８】
前記ハンドルボディ３００は、前記ハンドル３０と前記バッテリーハウジング６０を形成することができる。
【０１６９】
前記ハンドルボディ３００は、前記カバー部材７０との結合のためのカバー結合部３０１を含むことができる。
【０１７０】
前記カバー結合部３０１によって前記ハンドル部３は、一例として上下方向に前記カバー部材７０に結合され得る。
【０１７１】
前記カバー結合部３０１は、前記カバー部材７０のハンドルフック結合部７１７に結合されるためのハンドルフック３０６を含むことができる。
【０１７２】
また、前記カバー結合部３０１は、前記カバー部材７０の第２ハンドル結合部７２１に結合されるための挿入リブ３０４をさらに含むことができる。
【０１７３】
前記ハンドルボディ３００は、前記インナーハウジング６１０と結合するためのハウジング結合リブ３０８をさらに含むことができる。
【０１７４】
一方、前記ハンドル部３は、前記カバー部材７０に結合された前記本体端子８０と連結されるためのハンドル端子９０をさらに含むことができる。
【０１７５】
前記ハンドル部３は、複数のハンドル電線９４２、９４４、９４６をさらに含むことができる。前記複数のハンドル電線９４２、９４４、９４６は、ＰＣＢユニット３４０に連結され得る。
【０１７６】
前記ＰＣＢユニット３４０は、前記バッテリー４０と連結され得る。また、前記ＰＣＢユニット３４０は、前記操作部３２６から操作信号の入力を受けることができる。前記ＰＣＢユニット３４０は、入力された操作信号に基づいて前記吸入モータ２０および／または前記吸入部端子に電源を供給したり前記吸入モータ２０の吸入力の強さを調節することができる。
【０１７７】
前記複数のハンドル電線９４２、９４４、９４６は、前記ハンドル端子９０に連結されて前記吸入部５に備えられる吸入部端子（図示せず）に電源を供給するための第１ハンドル電線９４２と、前記ハンドル端子９０に連結されて前記吸入モータ２０に電源を供給するための第２ハンドル電線９４４とを含むことができる。
【０１７８】
前記ハンドル部３が前記本体２と連結されると、前記第１ハンドル電線９４２は、前記本体２に備えられる第１本体電線１２６と連結され、前記第２ハンドル電線９４４は、前記本体２に備えられる第２本体電線１２７と連結され得る。
【０１７９】
前記複数のハンドル電線９４２、９４４、９４６は、前記充電台連結端子６２８と連結される端子連結電線９４６とをさらに含むことができる。
【０１８０】
前記ハンドル部３は、前記複数のハンドル電線９４２、９４４、９４６が互いに絡まれていない状態で位置するようにハンドル電線の位置をガイドする電線ガイド３０９をさらに含むことができる。
【０１８１】
図１５は、図１４のハンドル部がカバー部材に結合された状態を示す横断面図であり、図１６は、ハンドル部がカバー部材に結合される前の状態を示す縦断面図であり、図１７は、ハンドル部がカバー部材に結合された状態を示す縦断面図であり、図１８は、ハンドル部が本体に結合される様子を示す図面である。
【０１８２】
図９、図１４乃至図１８を参照すると、前記ハンドル部３が前記カバー部材７０に結合されるために、前記ハンドル部３の挿入リブ３０４が前記カバーボディ７１０の第２ハンドル結合部７２１の挿入開口７２４と整列され得る。
【０１８３】
この状態で、前記ハンドル部３が下方に移動すると、前記ハンドル部３の挿入リブ３０４が前記挿入開口３２４を通って前記第２ハンドル結合部７２１の第１延長部７２２に安着されて前記第２延長部７２３に係止される。
【０１８４】
また、前記ハンドル部３のハンドルフック３０６が前記カバーボディ７１０のハンドルフック結合部７１７に係止される。また、前記ハンドル端子９０が前記本体端子８０と連結される。すなわち、前記ハンドル端子９０は、前記ハンドル部３が下方に移動して前記カバー部材７０と結合する過程で前記本体端子８０と連結される。
【０１８５】
このとき、前記カバー部材７０の複数の結合リブ７１６は、前記ハンドル端子９０と前記本体端子８０の結合をガイドする。そして、前記ハンドル端子９０が前記本体端子８０に結合された状態で、前記複数の結合リブ７１６は、前記ハンドル端子９０の両側の一部をカバーすることができる。
【０１８６】
したがって、本発明によると、前記ハンドル部３を前記カバー部材７０に結合させる過程で前記ハンドル端子９０と前記本体端子８０が連結されるので、前記ハンドル端子９０と本体端子８０の結合過程が省略され得、使用者の便宜性が向上し得るという長所がある。
【０１８７】
このとき、前記ハンドル部３の挿入リブ３０２および前記カバー部材７０の第２ハンドル結合部７２１によって、前記ハンドル部３は前記カバー部材７０にスライディング結合されるので、前記ハンドル端子９０と前記本体端子８０が安定的に結合され得るという長所がある。
【０１８８】
図１９は、カバー部材が本体に結合された状態を示す斜視図であり、図２０は、カバー部材が結合された本体にインナーハウジングが結合された状態を示す斜視図であり、図２１は、本体にインナーハウジングが結合された状態を示す断面図である。
【０１８９】
図１９乃至図２１を参照すると、前記カバー部材７０が前記第１ボディ１０に結合された状態で、前記カバーボディ７０の下面７２９は、前記第１ボディ１０の下面から離隔する。そして、前記カバー部材７０の下面７２９は、前記第１ボディ１０のハウジング締結部１０８の下段より上方に位置する。
【０１９０】
前記カバーボディ７０の下面７２９と前記第１ボディ１０の下段との間には、前記インナーハウジング６１０のヒンジ結合部６２０が位置するための空間が形成される。
【０１９１】
前記インナーハウジング６１０の一対のヒンジ結合部６２０の間には、前記第１ボディ１０のハウジング締結部１０８に締結されるための締結リブ６２２が備えられる。前記締結リブ６２２は、前記一対のヒンジ結合部６２０を連結する。
【０１９２】
前記締結リブ６２２は、締結部材Ｓが締結されるための締結孔６２４を含むことができる。
【０１９３】
前記締結リブ６２２の一部は、前記第１ボディ１０の案内溝１０７に位置する。前記締結リブ６２２が前記案内溝１０７に位置した状態で、前記締結リブ６２２が前記ハウジング締結部１０８の下面と接触するようになる。
【０１９４】
この状態で、前記締結リブ６２２の下方で前記締結部材Ｓを用いて前記締結リブ６２２および前記ハウジング締結部１０８を互いに締結させることができる。
【０１９５】
前記インナーハウジング６１０には、前記ハンドル部３のハウジング結合リブ３０８が結合されるリブ係止部６２６が備えられ得る。前記リブ係止部６２６は、一例として前記一対のヒンジ結合部６２０それぞれに形成され得る。
【０１９６】
したがって、前記インナーハウジング６１０は、前記第１ボディ１０および前記ハンドル部３に結合され得る。
【０１９７】
図２２は、本発明の掃除機の結合構造を概略的に示す概念図である。
【０１９８】
図４、図１８及び図２２を参照すると、本発明は、前述したように本体２と、ハンドル部３と、バッテリー４０とを含むことができる。
【０１９９】
本発明の掃除機１は、電源供給のために大きく三つの結合構造を有する。
【０２００】
一番目の結合構造は、前記バッテリー４０と前記ハンドル部３の結合のための構造である。本発明において、前記バッテリー４０は、前記ハンドル部３に分離可能に結合される。
【０２０１】
前記バッテリー４０が前記ハンドル部３に結合されると、前記バッテリー４０は、前記メインＰＣＢユニット３４０に連結される。このとき、前記バッテリー４０と前記ハンドル部３の結合は、前記バッテリー端子４９０と前記バッテリー連結端子６７０の機構的な結合によって行われる。もちろん、前記メインＰＣＢユニット３４０は、前記バッテリー連結端子６７０と電線によって連結されているので、前記バッテリー端子４９０と前記バッテリー連結端子６７０が結合されると、互いに電気的に連結されて前記バッテリー４０の電源が前記メインＰＣＢユニット３４０に供給され得る。
【０２０２】
本発明の二番目の結合構造は、前記ハンドル部３と前記本体２の結合のための構造である。
【０２０３】
前記メインＰＣＢユニット３４０が前記ハンドル端子９０に連結された状態で、前記ハンドル部３が前記本体２に上下方向にスライディング結合されると、前記ハンドル端子９０と前記本体端子８０が機構的に結合される。もちろん、前記ハンドル端子９０と前記本体端子８０が機構的に結合されると、互いに電気的に連結されて前記メインＰＣＢユニット３４０から前記ハンドル端子９０を経由して前記本体端子８０に電源が供給され得る。
【０２０４】
このとき、前記ハンドル部３にカバー結合部３０１が備えられ、前記カバー部材７０に前記カバー結合部３０１が結合されるための前記挿入開口７２４およびハンドルフック結合部７１７が備えられ得る。したがって、前記ハンドル部３が前記カバー部材７０と安定的に結合され得、この過程で前記ハンドル端子９０が前記本体端子８０に正確に結合され得る。すなわち、前記カバー結合部３０１と前記挿入開口７２４およびハンドルフック結合部７１７は、前記ハンドル端子９０と前記本体端子８０の結合をガイドする役割をするので、前記ハンドル端子９０と前記本体端子８０の組立誤差が減るという長所がある。
【０２０５】
また、前記ハンドル部３にボディ結合部３０４が備えられ、前記本体２の第２ボディ１２に第１ハンドル結合部１３９ａ、１３９ｂが備えられることによって、前記ハンドル部３が前記第２ボディ１２と安定的に結合され得、この過程で前記ハンドル端子９０が前記本体端子８０に正確に結合され得る。すなわち、前記ボディ結合部３０４と前記第１ハンドル結合部１３９ａ、１３９ｂも前記ハンドル端子９０と前記本体端子８０の結合をガイドする役割をするので、前記ハンドル端子９０と前記本体端子８０の組立誤差が減るという長所がある。
【０２０６】
また、前述したように、前記カバー部材７０に前記本体端子８０と結合する複数の結合リブ７１６ａおよび前記本体端子８０の下側を支持する端子支持部７１６ｃが備えられる。したがって、前記ハンドル端子９０が前記本体端子８０に結合される過程で、前記本体端子８０が下側に弛むことが防止されて前記ハンドル端子９０と前記本体端子８０の組立誤差が減るという長所がある。
【０２０７】
本発明の三番目の結合構造は、前記本体端子８０と電気的に連結された本体電線と前記本体２内部に備えられる吸入モータ２０および前記第１端子１３９との間の結合構造である。このような結合構造は、前記本体２内に位置して本体電線の連結による電気的な結合構造である。このような電気的な結合構造によって前記本体端子８０に供給された電源が最終的に前記吸入モータ２０および前記第１端子１３９側に供給され得る。
【０２０８】
このような本発明の結合構造によると、空気が流動する流路は前記本体２にのみ形成され、前記ハンドル部３には形成されない。
【０２０９】
したがって、前記ハンドル部３を前記本体２に結合させるとき、前記ハンドル部３と前記本体２との境界部のシーリングのための構造が不要である。したがって、前記ハンドル部３を前記本体２に結合させるための構造が簡単になり、結合が容易であるという長所がある。
【０２１０】
本発明において、前記吸入モータ２０および前記第１端子１３９は、前記バッテリー４０の電源の供給を受ける構成であるので、電源需給部と称することができる。
【図１】
2019524290.tif 000003
【図２】
2019524290.tif 000004
【図３】
2019524290.tif 000005
【図４】
2019524290.tif 000006
【図５】
2019524290.tif 000007
【図６】
2019524290.tif 000008
【図７】
2019524290.tif 000009
【図８】
2019524290.tif 000010
【図９】
2019524290.tif 000011
【図１０】
2019524290.tif 000012
【図１１】
2019524290.tif 000013
【図１２】
2019524290.tif 000014
【図１３】
2019524290.tif 000015
【図１４】
2019524290.tif 000016
【図１５】
2019524290.tif 000017
【図１６】
2019524290.tif 000018
【図１７】
2019524290.tif 000019
【図１８】
2019524290.tif 000020
【図１９】
2019524290.tif 000021
【図２０】
2019524290.tif 000022
【図２１】
2019524290.tif 000023
【図２２】
2019524290.tif 000024
【国際調査報告】
2019524290.tif 000025
2019524290.tif 000026
2019524290.tif 000027
2019524290.tif 000028